【事件の表示】
　特願２０００−　５３９７２「パチンコ機の賞球払出装置」拒絶査定不服審判事件〔平成１３年　９月　４日出願公開、特開２００１−２３９０３０〕について、次のとおり審決する。
【結　論】
　本件審判の請求は、成り立たない。
【理　由】
１．手続の経緯
　本願は、平成１２年２月２９日の出願であって、平成１７年９月１６日付けで拒絶理由が通知され、同年１１月１６日付けで手続補正がなされ、平成１８年１月５日付けで拒絶査定がなされ、これに対し同年２月７日に手続補正がなされるとともに拒絶査定不服審判が請求されたものである。
　
２．平成１８年２月７日付けの手続補正についての補正却下の決定
［補正却下の決定の結論］
　平成１８年２月７日付けの手続補正（以下「本件補正」という。）を却下する。
　
［理由］
（１）本件補正後の本願発明
　平成１８年２月７日付けの手続補正により、特許請求の範囲は、
「【請求項１】　入賞口に入賞した入賞球を検出する入賞球検出スイッチと、賞球を払い出す賞球払出機構部と、制御部とを備えたパチンコ機の賞球払出装置において、制御部が、入賞球検出スイッチから入力された入賞球検出信号に対応した賞球指示払出数を生成し、その生成した賞球指示払出数の所定単位数毎に賞球数量情報をホールコンピュータに送信し、上記生成した賞球指示払出数に基づき賞球払出機構部を制御することを特徴とするパチンコ機の賞球払出装置。
【請求項２】　制御部は、賞球指示払出数を加算し、その加算値が所定単位数から所定単位数の２倍未満の範囲であるときは、加算値から所定単位数を減算し、１つの賞球数量情報をホールコンピュータに送信し、上記加算値が所定単位数の２倍以上であるときは、加算値を所定単位数で割り算した商に相当する複数個の賞球数量情報をホールコンピュータに送信するが、その複数個の賞球数量情報をホールコンピュータに送信する場合、１つの賞球数量情報をホールコンピュータに送信した後、もう１つの賞球数量情報をホールコンピュータに送信するというように、複数個の賞球数量情報をホールコンピュータに個別に送信することを特徴とする請求項１記載のパチンコ機の賞球払出装置。
【請求項３】　制御部から複数個の賞球数量情報をホールコンピュータに個別に送信する場合、複数個における賞球数量情報間のインターバルが、ホールコンピュータのスキャン時間以上に定められたことを特徴とする請求項２記載のパチンコ機の賞球払出装置。」から、
　
「【請求項１】　
複数の異なる個数の賞球を払い出すための
個別に
複数の
のそれぞれ
を加算し、その加算値が
に到達する
、
【請求項２】　制御部は、
加算した
【請求項３】　制御部から複数個の賞球数量情報をホールコンピュータに個別に送信する場合、複数個における賞球数量情報間のインターバルが、ホールコンピュータのスキャン時間以上に定められたことを特徴とする請求項２記載のパチンコ機の賞球払出装置。」
へと補正された。（下線部が本件補正により追加又は変更された箇所。）
　
　本件補正は、本件補正前の請求項１に記載した発明を特定するために必要な事項である「入賞口」について「複数の異なる個数の賞球を払い出すための」との限定を付加し、
　同じく「入賞球を検出する入賞球検出スイッチ」について「入賞球を個別に検出する」との限定を付加し、
　同じく「入賞球検出スイッチから入力された入賞球検出信号」について「複数の入賞球検出スイッチのそれぞれから入力された」との限定を付加し、
　同じく「賞球指示払出数の所定単位数毎に」を「賞球指示払出数を加算し、その加算値が所定単位数に到達する毎に」と変更し、
　さらに、本件補正前の請求項２に記載した発明を特定するために必要な事項である「賞球指示払出数を加算し」を「加算した賞球指示払出数」と言い換えたものであって、
　平成１８年改正前特許法第１７条の２第４項第２号の特許請求の範囲の減縮を目的とするものに該当する。
　そこで、本件補正後の前記請求項１に記載された発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用文献
　原査定の拒絶の理由に引用された特開平１１−３１３９７４号公報（以下「引用文献」という。）には、図面とともに、
「【０００１】【発明の属する技術分野】本発明は、賞の成立に基づいて遊技者に賞遊技媒体を付与する遊技媒体付与手段を備えた遊技装置に関するものである。
【０００２】【従来の技術】多数の遊技装置が設置された遊技店では、これらの遊技装置を統括的に管理するための管理装置を導入しており、この管理装置によって、遊技装置列たる島設備に設けられている補給機構から各遊技装置の遊技媒体貯留タンクへ補給した遊技媒体数を計数したり、遊技装置で賞が成立した回数と賞成立に対して付与されるものと予め定められている賞遊技媒体の数とから演算により求めるなどして、当該遊技装置が賞遊技媒体として遊技者に付与した賞遊技媒体数に係わる情報を取得し、これらの情報に基づいて営業を行うのが一般的となっている。
【００１８】上記遊技盤４の表面の遊技部には種々の入賞口を有する入賞具、変動入賞装置や可変表示装置等の電気的遊技機器、上記各入賞口に入賞しなかった遊技球を回収するアウト口および多数の遊技釘等が配列され、遊技盤４の裏面には各入賞口に入賞した入賞球を案内する入賞球集合樋１９ａ，１９ｂが形成される。遊技盤４に変動入賞装置（図示省略）を有する最近のパチンコ機では、天入賞口等の一般の入賞口の他に変動入賞装置の始動用等の特別の入賞口を設けているが、これら一般の入賞口への入賞と特定の入賞口への入賞とで賞球数を変えられるように、遊技盤４の裏面に２系統の樋を形成するものとしてあり、例えば一般の入賞口と連通する入賞球集合樋１９ａを奥側（パチンコ機１の前面側）に、特定の入賞口と連通する入賞球集合樋１９ｂを手前側（パチンコ機１の背面側）に構成してある。
【００２２】上記入賞球処理装置２４は遊技盤４の裏面の入賞球集合樋１９ａ，１９ｂを流下してきた入賞球を各系統毎に処理するもので、前面枠２の裏機構盤１２背面側の前後方向に入賞球集合樋１９ａ，１９ｂと同じく２系統の流路を設けてある。なお、図３においては２系統のうち１系統（例えば背面側）しか図示しないが、入賞球集合樋１９ａ，１９ｂに接続する入賞球案内樋２６ａ，２６ｂと、入賞球案内樋２６ａ，２６ｂに続く調流樋２７ａ，２７ｂと、調流樋２７ａ，２７ｂに続く導出樋２８ａ，２８ｂと、調流樋２７ａ，２７ｂに設置したストッパ機構（図示省略）およびセーフ球検出手段るセーフセンサ２９ａ，２９ｂとから構成されるものとしてあり、入賞球案内樋２６ａ、調流樋２７ａ、導出樋２８ａ、前面側ストッパ機構、セーフセンサ２９ａは入賞球処理装置２４の奥側（パチンコ機１の前面側）に、入賞球案内樋２６ｂ、調流樋２７ｂ、導出樋２８ｂ、背面側ストッパ機構、セーフセンサ２９ｂは入賞球処理装置２４の手前側（パチンコ機１の裏面側）にそれぞれ配設してある。
【００８８】上記電気的制御装置１１０は役物制御部１１１、球排出装置制御部１１２、回収球集計部１１３等より構成してあり、役物制御部１１１が所定の遊技機器制御データに基づいて各種電気的遊技機器の動作制御を行うと共に、動作制御の結果として各種センサより得られた各種データを適宜に処理する。そして、セーフセンサ２９ａ，２９ｂが検出したセーフ信号に基づいて役物制御部１１１は球排出装置制御手段たる球排出装置制御部１１２へ排出制御信号を送信し、該排出制御信号に基づいて球排出装置制御部１１２が球排出装置２５に賞球排出動作を行わせるのである。また、回収球集計部１１３はセーフセンサ２９ａ，２９ｂ及びアウトセンサ９４が検出した遊技球の集計することで回収球の総数を求め、回収球の総数を回収球信号として管理装置９５のホールコンピュータ９６へ送信する。
【００９２】すなわち、本実施形態においては、電気的制御装置１１０の役物制御部１１１と球排出装置制御部１１２とが協働することにより賞遊技媒体付与制御手段として機能するので、役物制御部１１１より排出制御信号が入力された場合に、球排出装置制御部１１２はセーフ球に基づく賞球排出を球排出装置２５に行わせて、成立した賞に対応する賞遊技媒体を遊技者に付与でき、玉貸制御装置１０６と電気的制御装置１１０の球排出装置制御部１１２が協働することにより貸出遊技媒体付与制御手段として機能するので、玉貸制御部１０８より玉貸信号が入力された場合に、球排出装置制御部１１２はプリペイドカードの使用に基づく玉貸用の球排出を球排出装置２５に行わせ、遊技者の貸出操作に基づく所定数の貸出遊技媒体を付与できる。これにより、当該パチンコ機１における唯一の球排出手段たる球排出装置２５によって、セーフ球に基づく賞球排出動作と玉貸信号に基づく玉貸用の球排出動作とを行うことができる。
【００９５】さらに、セーフセンサ２９ａ，２９ｂが検出したセーフ球に基づいて球排出装置２５に排出させた賞球数を、球排出装置制御部１１２の加算記憶手段たる計数カウンタに加算記憶してゆき、該計数カウンタが計数した排出賞球数を計数信号（賞球排出信号）として、信号発生手段が管理装置９５のホールコンピュータ９６へ送信するのである。なお、本実施形態においては、上記計数カウンタのカウント数が例えば“１００”を越えた際に、「賞球排出信号」を管理装置９５のホールコンピュータ９６へ送信すると共に、該「賞球排出信号」をホールコンピュータ９６へ送信する毎に計数カウンタのカウント数から“１００”減算し、改めて賞球数が“１００”を越えるまで継続カウントするものとしてあるが、より細かく“１０”を越える毎に上記の動作を行うようにしても良いし、或いは、球排出装置制御部１１２が球排出装置２５にセーフ球に基づく賞球排出動作を行わせる度に管理装置９５のホールコンピュータ９６へ排出賞球数を送信するように構成してもよい。」
との記載が認められ、
　摘記した上記の記載や図面等によれば、引用文献には、
「　一般の入賞口及び特定の入賞口に入賞した入賞球を案内する２系統の入賞球集合樋１９ａ，１９ｂと、該入賞球集合樋１９ａ，１９ｂを流下してきた入賞球を各系統毎に検出するセーフセンサ２９ａ，２９ｂと、賞球排出動作を行う球排出装置２５と、電気的制御装置１１０とを備えた遊技装置の遊技媒体付与手段において、
上記電気的制御装置１１０が、上記セーフセンサ２９ａ，２９ｂが検出したセーフ信号に基づいて球排出装置２５に排出させた賞球数を加算記憶し、
その加算記憶したカウント数が１０を超える毎に、賞球排出信号をホールコンピュータ９６に送信し、
排出制御信号に基づいて球排出装置２５に賞球排出動作を行わせる
遊技装置の遊技媒体付与手段。」
の発明（以下「引用発明」という。）が開示されていると認めることができる。
　
（３）対比
　そこで、本願補正発明と引用発明とを比較すると、引用発明の「一般の入賞口及び特定の入賞口」は、本願補正発明の「複数の異なる個数の賞球を払い出すための入賞口」に相当し、以下同様に、
「セーフセンサ２９ａ，２９ｂ」は「入賞球検出スイッチ」に、
「賞球排出動作を行う」は「賞球を払い出す」に、
「球排出装置２５」は「賞球払出機構部」に、
「電気的制御装置１１０」は「制御部」に、
「遊技装置」は「パチンコ機」に、
「遊技媒体付与手段」は「賞球払出装置」に、
「上記セーフセンサ２９ａ，２９ｂが検出した」は「複数の入賞球検出スイッチのそれぞれから入力された」に、
「セーフ信号」は「入賞球検出信号」に、
「加算記憶したカウント数」は「加算値」に、
「１０を超える毎に」は「所定単位数に到達する毎に」に、
「賞球排出信号」は「賞球数量情報」に、
「ホールコンピュータ９６」は「ホールコンピュータ」に、
「基づいて」は「基づき」に、
「球排出装置２５に賞球排出動作を行わせる」は「賞球払出機構部を制御する」に、それぞれ相当する。
　さらに、引用文献の記載等からみて、以下のことが言える。
　
ａ．引用発明の「セーフ信号に基づいて球排出装置２５に排出させた賞球数を加算記憶」することと、本願補正発明の「入賞球検出信号に対応した賞球指示払出数を生成し、その生成した賞球指示払出数を加算」することとは、「入賞球検出信号に応じて賞球に関する数を加算」する点で共通している。
　
ｂ．引用発明の「排出制御信号」は、摘記した段落００８８の記載からセーフ信号（本願補正発明の「入賞球検出信号」に相当）に基づいて生成されるものであることが明らかであり、摘記した段落００９２の記載から「成立した賞に対応する賞遊技媒体を遊技者に付与」するための信号であることが分かるから、実質的に本願補正発明の「賞球指示払出数」に相当するものと認められる。
　
　以上を総合すると、両者は、
「　複数の異なる個数の賞球を払い出すための入賞口に入賞した入賞球を検出する入賞球検出スイッチと、賞球を払い出す賞球払出機構部と、制御部とを備えたパチンコ機の賞球払出装置において、制御部が、複数の入賞球検出スイッチのそれぞれから入力された入賞球検出信号に応じて賞球に関する数を加算し、その加算値が所定単位数に到達する毎に、賞球数量情報をホールコンピュータに送信し、賞球指示払出数に基づき賞球払出機構部を制御することを特徴とするパチンコ機の賞球払出装置。」
の点で一致し、以下の点で相違している。
　
［相違点１］
　本願補正発明の「入賞球検出スイッチ」が、複数の入賞口に入賞した入賞球を個別に検出するのに対し、引用発明の「セーフセンサ２９ａ，２９ｂ」は入賞球を各系統毎に検出する点。
　
［相違点２］
　本願補正発明は、制御部が入賞球検出信号に対応した「賞球指示払出数」を生成し、その生成した「賞球指示払出数」を加算しているのに対し、引用発明は、電気的制御装置１１０がセーフ信号に基づいて球排出装置２５に排出させた「賞球数」を加算記憶している点。
　
（４）判断
［相違点１について］
　引用発明においても、各系統毎に（一般の入賞口及び特定の入賞口を区別して）入賞球を検出しており、本願明細書の段落０００８に記載された「入賞球検出スイッチ３は賞球払出数の系統毎に設けても良い」と同様の構成となっている。本件補正で「入賞球を個別に検出する入賞球検出スイッチ」と限定されたが、入賞球検出スイッチを賞球払出数の系統毎に設けるか、各入賞口に個別に設けるかは、例えば、特開平１１−３０００１８号公報（特に、段落０００７）、特開平１０−２４４０５８号公報（特に、段落００１９及び図２、３）にも記載されるように、パチンコ機の分野における通常の知識を有する者（以下「当業者」という。）が、従来適宜選択可能な事項であるから、引用発明の一般の入賞口及び特定の入賞口のそれぞれにセーフセンサを設けて、上記相違点１に係る構成とすることは当業者が容易に想到し得る事項である。
　
［相違点２ついて］
　相違点２は、要するに、本願補正発明は賞球払出機構部が払い出しを行わなくても「賞球指示払出数」を生成し加算するのに対し、引用発明は球排出装置２５に排出させた「賞球数」を加算する点（審判請求書第５頁下から３行目〜第６頁第９行の主張と同趣旨）であるが、摘記した引用文献の段落０００２の記載によれば、管理装置が遊技装置で賞が成立した回数と賞成立に対して付与されるものと予め定められている賞遊技媒体の数とから演算によって遊技者に付与した賞遊技媒体数に係わる情報を取得することは従来技術であるから、球排出装置２５に排出させた「賞球数」ではなく、賞球が排出されたか否かにかかわらず賞が成立した回数を遊技装置から管理装置に対して送信することが行われていたことが分かる。
　引用文献に記載された上記従来技術について、請求人は、引用文献の段落０００３の「しかしながら、近年の遊技装置では、遊技盤を交換できるものが広く用いられており、各遊技盤の種類が異なると賞の成立に基づいて付与される遊技媒体数が異なっていたり、或いは、成立する賞の種類に応じて異なる数の賞遊技媒体を付与するようになっていたり、このような遊技装置を導入している遊技店の管理装置は、各遊技装置から送信される賞成立の検出信号の総数と各賞成立に対して付与される賞遊技媒体数とから単純な演算により、当該遊技装置で遊技者に付与された賞遊技媒体の総数を求めることができない。」との記載を根拠に、本願発明の構成は当業者といえども容易に想到できないと主張している（審判請求書第６頁第１４行〜第７頁下から２行目）。
　しかし、引用文献の出願時とみなされる平成２年６月１９日においては、そのような事情があったとしても、本願の出願時においては、例えば、特開平１０−７６０５９号公報（特に、段落００４７）、特開平１０−５７６０８号公報（特に、段落００１５）、特開平８−７１２１９号公報（特に、段落００４０）に記載されるように、検知された各入賞口への入賞球数に、当該入賞口に対応する一個あたりの賞球数を掛けて、その総和を求めることにより賞球数累計が算出できることは、パチンコ機の分野で良く知られた周知の技術であるとともに、制御部側で賞球数累計を算出してホールコンピュータに送信するか、制御部からホールコンピュータに入賞に関する情報を送信しホールコンピュータ側で賞球数累計を算出するかは、制御部とホールコンピュータとの負担割合を考慮して当業者が適宜選択し得る事項であるから、引用発明に上記周知の技術を適用して、上記相違点２に係る構成とすることは当業者が容易に想到し得る事項である。
　
　そして、本願補正発明の作用効果も、引用発明、上記周知の技術及び引用文献に記載された従来技術から当業者が予測できる範囲のものである。
　したがって、本願補正発明は、引用発明、上記周知の技術及び引用文献に記載された従来技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項において準用する同法第１２６条第５項の規定に違反するので、特許法第１５９条第１項において読み替えて準用する特許法第５３条第１項の規定により却下されるべきものである。
　
３．本願発明について
　平成１８年２月７日付けの手続補正は上記のとおり却下されたので、本願の請求項１に係る発明（以下「本願発明」という。）は、平成１７年１１月１６日付けの手続補正書によって補正された明細書の特許請求の範囲の請求項１に記載された事項により特定される、以下のとおりのものである。
「　入賞口に入賞した入賞球を検出する入賞球検出スイッチと、賞球を払い出す賞球払出機構部と、制御部とを備えたパチンコ機の賞球払出装置において、制御部が、入賞球検出スイッチから入力された入賞球検出信号に対応した賞球指示払出数を生成し、その生成した賞球指示払出数の所定単位数毎に賞球数量情報をホールコンピュータに送信し、上記生成した賞球指示払出数に基づき賞球払出機構部を制御することを特徴とするパチンコ機の賞球払出装置。」
　
（１）引用文献
　原査定の拒絶の理由に引用された引用文献及びその記載事項は、上記「２．（２）」に記載したとおりである。
　
（２）対比・判断
　本願発明は、上記「２．（１）」で検討した本願補正発明から、
　「入賞口」についての限定事項である「複数の異なる個数の賞球を払い出すための」という構成を省き、
　「入賞球を検出する入賞球検出スイッチ」についての限定事項である「入賞球を個別に検出する」という構成を省き、
　本願補正発明の「複数の入賞球検出スイッチのそれぞれから入力された入賞球検出信号」から「複数の」及び「のそれぞれ」という限定事項を省き、
　さらに、本願補正発明の「賞球指示払出数を加算し、その加算値が所定単位数に到達する毎に」を、上位の概念である「賞球指示払出数の所定単位数毎に」と変更したものである。
　そして、本願発明の構成要件を全て含み、さらに他の構成要件を付加するとともに一部の構成要件を下位概念化したものに相当する本願補正発明が、上記「２．（４）」に記載したとおり、引用発明、上記周知の技術及び引用文献に記載された従来技術に基づいて当業者が容易に発明をすることができたものであるから、本願発明は、同様の理由により、引用発明、上記周知の技術及び引用文献に記載された従来技術に基づいて当業者が容易に発明をすることができたものである。
　
　また、上記周知の技術は、本件補正によって発生した本願補正発明と引用発明との相違点に関する請求人の主張（特に、引用文献の段落０００３等からみて「賞成立の検出信号の総数と各賞成立に対して付与される賞遊技媒体数とからの演算によってパチンコ機で遊技者に付与された賞遊技媒体の総数を求めることができない」との主張）について判断する際に示したものであることを考慮すると、本願発明は引用発明及び引用文献に記載された従来技術に基づいて当業者が容易に発明をすることができたということもできる。
　
（３）むすび
　以上のとおり、本願発明は、引用発明、上記周知の技術及び引用文献に記載された従来技術又は引用発明及び引用文献に記載された従来技術に基づいて、当業者が容易に発明をすることができたものであるから、特許法第２９条第２項の規定により特許を受けることができない。
　そして、他の請求項（請求項２及び３）に係る発明については検討するまでもなく、本願は拒絶すべきものである。
　よって、結論のとおり審決する。